(57)【要約】【課題】シンプルで高い適用性をもつレール構造により材料のコストを削減できるとともに、電子機器の内部スペースを節約して薄型化を達成でき、更には配線が断裂するのを防止することもできるスライド式電子機器のディスプレイ構造を提供する。【解決手段】収納空間を有し、底壁の両端部には開口溝が設けられ、該底壁の開口溝の間に貫通溝が設けられるケースと、ケースの収納空間に設けられるディスプレイモジュールと、レールとスライド片を具え、該レールは開口溝内に設けられ、該スライド棒はレールにスライド自在に設けられるレールモジュールと、該ケースの収納空間内に設けられた可撓性回路素子を具え、該可撓性回路素子は可撓性部を有し、該可撓性部は該ケースの貫通溝の外に延出し、該可撓性部の一部は折り曲げて重ねられ、重なった部分はスライドと連動して伸展する可撓性回路モジュールとによって構成する。【選択図】図１
0003158621.tif 000002
【実用新案登録請求の範囲】
【請求項１】
収納空間を有し、該収納空間の底壁の対向する両端縁の近傍には互いに平行である開口溝が設けられ、該底壁の開口溝の間には貫通溝が設けられるケースと、
該ケースの収納空間に設けられるディスプレイモジュールと、
レールとスライド片を具え、該レールは該ケースの収納空間の底壁に開口溝と平行になるように設けられ、該スライド片は対応する該レールにスライド自在に設けられるとともに開口溝内をスライドすることができる二つのレールモジュールと、
該ケースの収納空間内に設けられ、少なくとも一つの可撓性回路素子を具え、該可撓性回路素子は、電気接続部と、該電気接続部から延伸して形成する可撓性部とによって構成し、該可撓性部は該ケースの貫通溝の外に延出し、該可撓性部の一部は折り曲げて重ねられ、重なった部分はスライドと連動して伸展する可撓性回路モジュールと、
によって構成することを特徴とする、スライド式電子機器のディスプレイ構造。
【請求項２】
前記ケースの貫通溝は前記底壁の中央部に配置し、該ケースは台座と、該台座上に取り付けられる側面フレームを具え、該台座と該側面フレームによって収納空間が形成され、前記開口溝と貫通溝は該台座に設けられ、前記ディスプレイモジュールはタブレットＰＣのタッチパネル式のディスプレイであることを特徴とする、請求項１に記載のスライド式電子機器のディスプレイ構造。
【請求項３】
遮板と外蓋板を更に具え、該遮板は前記ケースの収納空間の底壁に取り付けられ前記貫通溝を覆い、該外蓋板は該ケースの外壁に取り付けられ貫通溝の一部を覆い、該外蓋板と該遮板は重なって設けられ、該可撓性回路素子の可撓性部は該遮板に接触し、それにより該可撓性部の重なる部分が位置決めされることを特徴とする、請求項１に記載のスライド式電子機器のディスプレイ構造。
【請求項４】
前記レールとスライド片との間にはライニング部を更に具え、該ライニング部は該スライド片に固定され、該レールの末端の近傍にはそれぞれ位置決め凸部が設けられ、該ライニング部には係止部を形成し、該スライド片がスライドして該レールの末端のどちらかまで移動した際、該ライニング部の係止部は該レールの位置決め凸部と係合され、該スライド片を係止させることを特徴とする、請求項１に記載のスライド式電子機器のディスプレイ構造。
【請求項５】
前記可撓性回路素子は、前記電気接続部に接続される連結部と、該連結部末端が同一平面上で折り返され更に延伸して形成される外部接続部とを具え、該外部接続部の一部は重ねられ前記遮板と接触し前記貫通溝の外に延出することを特徴とする、請求項３に記載のスライド式電子機器のディスプレイ構造。
【考案の詳細な説明】
【技術分野】
【０００１】
本考案はスライド式電子機器のディスプレイ構造に関する。
【背景技術】
【０００２】
現在市場でよく見られる電子機器は、その多くが折りたたみ式の構造を採用している。例えば、ノート型パソコン、折りたたみ式携帯電話等である。また、スライド式携帯電話等のようにスライド式構造を採用している製品もあり、特にここ数年で、市場には３Ｇ（3rd Generation；第3世代移動通信システムのこと）携帯電話、タブレット型のパーソナルコンピュータ（以下、タブレットＰＣという）などのスライド式電子機器が登場した。
【０００３】
スライド式電子機器のディスプレイは、電子機器の台座上で所定の位置までスライドさせた後、使用者が見やすいようにディスプレイを所定の角度まで回転させて起こす。ディスプレイを元の位置に戻したい時は、起こした電子機器のディスプレイを台座と平行になるまで回転させ、更に台座と重なるまでスライドさせて元の位置に戻す。台湾実用新案第Ｍ３４３３６２号（出願番号：０９６２１８１９１）には、３Ｇ携帯電話等の電子機器に取り付けることができるスライドレール構造が開示されている。
【０００４】
上述のスライドレール構造は、以下に示すような構成となっている。固定板上の対向する両端縁の近傍にそれぞれレールを設け、更にスライド板の両側辺上にスライド片を設ける。固定板は電子機器の台座上に固定して設け、スライド板は電子機器のカバーに固定する。スライド片とレールにより、スライド板を固定板の二本のレールの間でスライドさせることができる。
【０００５】
しかしながら、このような固定板とスライド板の構造は３Ｇ携帯電話等のような小型の電子機器に使用するのには適しているが、タブレットＰＣ等のようなサイズの大きい電子機器に適用する場合は、電子機器のサイズに合わせて固定板とスライド板のサイズも長くする必要があり、コストが高くなってしまう。
【先行技術文献】
【特許文献】
【０００６】
【特許文献１】台湾実用新案第Ｍ３４３３６２号明細書
【考案の概要】
【考案が解決しようとする課題】
【０００７】
さらに、ディスプレイをスライドさせた後に回転させて起こすため配線（軟性回路基板）の余裕についても考慮する必要がある。仮に配線の余裕が充分でないと、使用してすぐに配線が断裂してしまい、瑕疵品となってしまう。従って、スライド式電子機器のディスプレイに、コストが低く配線の断裂を防ぐことが可能なレール構造をどのようにもたせるかは、関連メーカーが解決を切望する問題である。
【課題を解決するための手段】
【０００８】
上述の目的を達成するために、本考案によるスライド式電子機器のディスプレイ構造は、収納空間を有し、該収納空間の底壁には対向する両端縁があり、その近傍には互いに平行である開口溝が設けられ、該底壁の開口溝の間には貫通溝が設けられるケースと、該ケースの収納空間に設けられるディスプレイモジュールと、レールとスライド片を具え、該レールは該ケースの収納空間の底壁に開口溝と平行になるように設けられ、該スライド片は対応する該レールにスライド自在に設けられるとともに開口溝内をスライドすることができる二つのレールモジュールと、該ケースの収納空間内に設けられ、少なくとも一つの可撓性回路素子を具え、該可撓性回路素子は、電気接続部と、該電気接続部から延伸して形成する可撓性部とによって構成し、該可撓性部は該ケースの貫通溝の外に延出し、該可撓性部の一部は折り曲げて重ねられ、重なった部分はスライドと連動して伸展する可撓性回路モジュールと、によって構成する。
【０００９】
また、本考案によるスライド式電子機器のディスプレイ構造は、遮板と外蓋板を更に具え、該遮板は該ケースの収納空間の底壁に取り付けられ該貫通溝を覆い、該外蓋板は該ケースの外壁に取り付けられ貫通溝の一部を覆い、該外蓋板と該遮板は重なって設けられ、該可撓性回路素子の可撓性部は該遮板に接触し、それにより該可撓性部の重なる部分が位置決めされるように構成する。
【考案の効果】
【００１０】
本考案は、シンプルで高い適用性をもつレール構造により材料のコストを削減できるとともに、電子機器の内部スペースを節約して電子機器の薄型化を達成でき、更には配線が断裂するのを防止することもできるスライド式電子機器のディスプレイ構造を提供することができる。
【００１１】
ケースの両側に設けたシンプルで高い適用性をもつレール構造により、特にサイズの大きいタブレットＰＣ等の電子機器に適用した時に材料のコストを削減でき、また、レール構造全体の体積が小さいため、電子機器の内部スペースを節約して電子機器の薄型化を達成することができる。
【００１２】
また、可撓性回路素子の可撓性部の一部は折り曲げられて重ねられ、更にケースの貫通溝から延出する。この構造により、ディスプレイ構造をスライドさせる時、可撓性部の重なった部分はそれに連動して伸展するため可撓性回路素子が断裂しなくなり、また、遮板と外蓋板により可撓性回路素子を保護することができる。
【図面の簡単な説明】
【００１３】
【図１】本考案によるディスプレイ構造の構成を示した分解図である。
【図２】本考案によるディスプレイ構造の構成を図１とは別の角度から示した分解図である。
【図３】本考案によるディスプレイ構造の外観を示した斜視図である。
【図４】本考案によるディスプレイ構造の外観を図３とは別の角度から示した斜視図である。
【図５】本考案によるディスプレイ構造を台座構造に取り付け、スライドさせた時の状態を示した説明図である。
【図６】本考案によるディスプレイ構造を台座構造に取り付け、回転させて起こした時の状態を示した説明図である。
【考案を実施するための形態】
【００１４】
図１及び図２に示すように、本考案によるスライド式電子機器のディスプレイ構造は、ケース１０、ディスプレイモジュール２０、二つのレールモジュール３０、及び可撓性回路モジュール４０によって構成する。
【００１５】
ケース１０は収納空間１１を有し、収納空間１１の底壁１１１の対向する両端縁の近傍には、互いに平行である二つの開口溝１２を設け、底壁１１１の二つの開口溝１２の間には更に貫通溝１３を設ける。なお、貫通溝１３は底壁１１１の中央部に設けるのが好ましい。また、本考案において、ケース１０は、台座１４と、台座１４上に取り付けられる側面フレーム１５を有し、台座１４と側面フレーム１５によって収納空間１１が形成される。また、開口溝１２と貫通溝１３は台座１４に設けられる。
【００１６】
本実施例において、ディスプレイモジュール２０はタッチパネル式のディスプレイであるが、当然、その他の一般的なディスプレイでもよい。
【００１７】
各レール部３０はレール３１、スライド片３２、及びライニング部３３を具える。各レール３１の二つの末端の近傍には二つの位置決め凸部３１１を突設し、各ライニング部３３は折り曲げられて二つの係止部３３１を形成する。
【００１８】
可撓性回路モジュール４０は少なくとも一つの可撓性回路素子４１を具える。本実施例においては、可撓性回路素子４１は二つ設け、該二つの可撓性回路素子４１はいずれも軟性回路基板である。各可撓性回路素子４１は、電気接続部４１１と、電気接続部４１１から延伸して形成するとともに可撓性をもつ可撓性部４１２とによって構成する。各可撓性部４１２は電気接続部４１１に接続される連結部４１２１と、連結部４１２１の末端が同一平面上で反対側に折り返されて更に延伸して形成する外部接続部４１２２を具える。
【００１９】
また、本考案によるスライド式電子機器のディスプレイ構造は、遮板５０、外蓋板６０、及び回路モジュール７０を更に含む。回路モジュール７０は回路基板７１と回路基板７１上に設けられる接続ポート７２を具える。
【００２０】
図３と図４に示すように、二つのレールモジュール３０のレール３１は、ケース１０の収納空間１１の底壁１１１上に、開口溝１２と平行になるように固定する。二つのスライド片３２は、対応するレール３１にそれぞれスライド自在に取り付け、それによりケース１０をスライドさせることができる。また、二つのライニング部３３は、対応するスライド片３２に固定してレール３１とスライド片３２の間に配置する。スライド片３２がレール３１内をスライドする時、スライド片３２がレール３１の二つの末端のどちらかまで移動した際、ライニング部３３の二つの係止部３３１はレール３１の二つの位置決め凸部３１１と係合し、スライド片３２をその位置で係止させる。
【００２１】
回路モジュール７０はケース１０の収納空間１１内に固定して設けられ、ケース１０の側縁に近接する。
【００２２】
可撓性回路モジュール４０はケース１０の収納空間１１内に設ける。可撓性回路素子４１の可撓性部４１２は途中で２度折り曲げられて３重に重ねられ、また、その末端はケース１０の貫通溝１３外に延出し、電子機器の台座（図示せず）内の回路基板（図示せず）と電気的に接続される。すなわち、各可撓性回路素子４１の可撓性部４１２の外部接続部４１２２の末端側の一部は、重ねられた状態で、貫通溝１３外に延出する。
【００２３】
一方、遮板５０は収納空間１１の底壁１１１上に取り付けられ、貫通溝１３を覆う。外蓋板６０はケース１０の外壁に取り付けられ、貫通溝１３の一部を覆うとともに遮板５０と重なる。可撓性回路素子４１の可撓性部４１２の外部接続部４１２２は遮板５０に接触し、それにより外部接続部４１２２の重なる部分が位置決めされる。
【００２４】
ディスプレイモジュール２０はケース１０の収納空間１１内に固定され、上述した可撓性回路モジュール４０、レール部３０はディスプレイモジュール２０の下方に配置する。可撓性回路モジュール４０の内、一つの可撓性回路素子４１の電気接続部４１１は回路モジュール７０の接続ポート７２に電気的に接続する。
【００２５】
図５及び図６に示すように、本考案によるディスプレイ構造は台座構造８と連結させることで、スライド式電子機器を構成する。台座構造８上の両側にはレール部３０のスライド片３２に対応するレールユニット（図示せず）を設け、ディスプレイ構造をスライドさせることができる。また、台座構造８上には回転軸部８１を設けディスプレイ構造に取り付けることで、ディスプレイ構造を回転軸部８１を軸に回転させて台座構造８から起こすことができ、使用者はモニターを見やすくなる。また、外に向かってディスプレイ構造がスライドする時、可撓性回路素子４１の可撓性部４１２の折曲がった部分もそれに連動して伸展し（本実施形態の外部接続部４１２２の先端は、この外に向かうスライド方向とは反対側に臨んでいる）、ディスプレイ構造が元の位置に戻るようにスライドする時は、可撓性部４１２は再び折り曲がって重なり元の状態となる。また、外蓋板６０上には更に二つの伸縮板（図示せず）を取り付けることで、ディスプレイ構造をスライドさせた時、伸縮板も連動して伸縮し、可撓性回路素子４１の可撓性部４１２を保護することができる。
【００２６】
以上に説明したように、本考案はケース１０の両側に、レール３１とスライド片３２を具えたレール部３０を設ける。このレール部３０の構造は、シンプルで高い適用性をもつため、特にサイズの大きいタブレットＰＣ（タブレット型のパーソナルコンピュータ）等の電子機器に適用した時に材料のコストを削減でき、また、レール部３０全体の体積が小さいため、電子機器の内部スペースを節約して電子機器の薄型化を達成することができる。
【００２７】
一方、可撓性回路素子４１の可撓性部４１２の一部は折り曲げられ重ねられ、更にケース１０の貫通溝１３から延出する。この構造により、ディスプレイ構造をスライドする時、可撓性部４１２の重なった部分はそれに連動して伸展するため可撓性回路素子４１が断裂しなくなる。また、遮板５０と外蓋板６０により可撓性回路素子４１を保護することができる。
【００２８】
以上、本考案の実施形態について図面を参照して詳述したが、具体的な構成はこの実施形態に限られるものではなく、本考案の要旨を逸脱しない範囲の設計変更等も含まれる。
【符号の説明】
【００２９】
１０      ケース
１１      収納空間
１１１    底壁
１２      開口溝
１３      貫通溝
１４      台座
１５      側面フレーム
２０      ディスプレイモジュール
３０      レール部
３１      レール
３１１    位置決め凸部
３２      スライド片
３３      ライニング部
３３１    係止部
４０      可撓性回路モジュール
４１      可撓性回路素子
４１１    電気接続部
４１２    可撓性部
４１２１  連結部
４１２２  外部接続部
５０      遮板
６０      外蓋板
７０      回路モジュール
７１      回路基板
７２      接続ポート
８        台座構造
８１      回転軸部
【図１】
0003158621.tif 000003
【図２】
0003158621.tif 000004
【図３】
0003158621.tif 000005
【図４】
0003158621.tif 000006
【図５】
0003158621.tif 000007
【図６】
0003158621.tif 000008